【手続補正書】
【提出日】平成26年3月26日(2014.3.26)
【手続補正１】
【補正対象書類名】明細書
【補正対象項目名】００３２
【補正方法】変更
【補正の内容】
【００３２】
円周状の軸一致マーカ２６ａは、対物レンズ２５の表面２５ａに、白色のインクをプリントして形成されている。軸一致マーカ２６ａは、この他に、断面が三角形状または半円形状となる突起が、レンズ成形時に表面２５ａに一体成形されたものであっても、凹部として表面２５ａに一体成形されたものであってもよい。すなわち、軸一致マーカ２６ａは、その形状である円周が視認されるものであればいかなる方法で形成されたものであってもよい。この軸一致マーカ２６ａを構成する円の輪郭線の中心と対物レンズ２５の中心はほぼ一致する。直線からなる中心マーカ２６ｂについても、軸一致マーカ２６ａと同様の方法で対物レンズ２５に設けられている。
【手続補正２】
【補正対象書類名】明細書
【補正対象項目名】００４３
【補正方法】変更
【補正の内容】
【００４３】
次に、本実施形態にかかる照準器を用いた光軸調整について説明する。この防犯用センサ装置では、設置時やメンテナンス時に光軸調整を行う場合、先ず、図２の投光部１におけるベース３３に着脱自在となったカバー３５を開放して、作業者は、片方の目で照準器４の接眼レンズ２１に設けられた図８のマイクロレンズ２２を覗き込む。その際に、作業者は覗きこむ目を適切な場所に位置付ける。作業者がマイクロレンズ２２を覗き込んだ際に、図１０（ａ）のように、対物レンズ２５に形成された軸一致マーカ２６ａの全ての部分を視認できた場合には、作業者は目の位置がずれていないと判断してもよく、その目の位置で光軸の調整を行ってもよい。これとは逆に、作業者が接眼窓２５から覗きこんだ際に、図１０（ｂ）のように対物レンズ２５に形成された軸一致マーカ２６ａの一部が欠けていることを視認した場合には、作業者は軸一致マーカ２６ａの全ての部分を視認できるようになるまで、接眼窓２０を覗き込む目の位置を少しずつ移動させて、つまり、接眼窓２０に対して目が正面にくるように方向を変化させて、軸一致マーカ２６ａ全体が視認できる位置を探し出す。具体的には、軸一致マーカ２６ａの欠けが視認させる部分が存在する方向とは反対の方向に、作業者は目の位置を移動させる。例えば、軸一致マーカ２６ａの下部が欠けていれば、作業者は目の位置を上方に移動させて、軸一致マーカ２６ａ全体が視認できるようにする。
【手続補正３】
【補正対象書類名】明細書
【補正対象項目名】００４４
【補正方法】変更
【補正の内容】
【００４４】
作業者が軸一致マーカ２６ａの全ての部分を視認できると、接眼レンズ２１に設けられたマイクロレンズ２２（図５）を覗き込む作業者の目が適切に位置付けられたと認識されるので、作業者は目の位置をそのままにして、操作板３８を回転操作して、投光器２の水平偏向角または上下偏向角を調整し、照準ミラー２７（図４）に図１の投光部１の素子ユニットの像が映るように光軸の粗調整を行う。この粗調整に続いて、作業者は、図１のレベルメータ１４の表示を見ながら表示レベルが最大値になるように、図２の調整ねじ４０，４１を調整して光軸の微調整を行い、図１のレベルメータ１４の表示が所定レベル以上になるまで、つまり投光器２の光軸が受光器９にできる限り一致するまで光軸調整を行う。このような光軸調整を、投光部１および受光部８の光軸調整を必要に応じて複数回繰り返す。
【手続補正４】
【補正対象書類名】明細書
【補正対象項目名】００４６
【補正方法】変更
【補正の内容】
【００４６】
図１２に示す第２変形例にかかるマーカ集合２６Ｂの軸一致マーカ２６Ｂａは、図６および図１１に示した左右上下対称形状の輪郭線とは異なり、上下左右非対称形状であって、各辺の長さが異なる７角形の輪郭線２６Ｂａからなる。この輪郭線２６Ｂａの外接円２６Ｂｃの中心は、対物レンズ２５の中心にほぼ一致する。また、この軸一致マーカ２６Ｂａは、複数の輪郭線部２６Ｂａａから構成される。すなわち、軸一致マーカを構成する輪郭線２６Ｂａは、複数の途切れた箇所を有する。ただし、この輪郭線２６Ｂａは、輪郭が形作る形状が認識できる程度に輪郭線部２６Ｂａａを有するため、マイクロレンズ２２（図７）を通してこのマーカ集合２６Ｂを見る作業者にとっては、複数の輪郭線部２６Ｂａａによって認識される輪郭形状の一部が欠けたことを視認することができる。なお、このマーカ集合２６Ｂは、中心マーカを有しないものとして示したが、有してもよい。
【手続補正５】
【補正対象書類名】明細書
【補正対象項目名】００５１
【補正方法】変更
【補正の内容】
【００５１】
以上、本実施形態にかかる目視照準器の対物レンズには、上述した各例のような軸一致マーカが設けられているため、照準器が設けられた防犯センサの光軸を調整する際には、この軸一致マーカによって、作業者は適切な方向から目視照準器を覗くことができる。
【手続補正６】
【補正対象書類名】明細書
【補正対象項目名】００５２
【補正方法】変更
【補正の内容】
【００５２】
２      投光器
４      目視照準器
９      受光器
２１    接眼レンズ
２２    マイクロレンズ
２５    対物レンズ
２６ａ  軸一致マーカ
２７    反射ミラー
Ｓ      センサ装置
【手続補正７】
【補正対象書類名】特許請求の範囲
【補正対象項目名】全文
【補正方法】変更
【補正の内容】
【特許請求の範囲】
【請求項１】
防犯センサにおける、検知波の送信器および受信器のそれぞれの送信方向および受信方向を調整するための目視照準器であって、
マイクロレンズが設けられた接眼レンズと、
前記接眼レンズの視野に含まれる第１のマーカが設けられた対物レンズと、
前記接眼レンズおよび前記対物レンズの間の光路に配置された反射ミラーとを備え、
前記第１のマーカは、円または三角形以上の多角形の輪郭線からなり、視軸が許容範囲から外れると前記マイクロレンズの視野から外れて一部分が欠落して視認されるように設定されている、目視照準器。
【請求項２】
請求項１において、前記第１のマーカの前記輪郭線の外接円の中心は前記マイクロレンズの光軸上に位置し、
前記マイクロレンズの光軸上の一点であって、前記マイクロレンズによって拡大された前記マーカの虚像の明視距離に位置する明視位置と、前記外接円の円周とを結ぶ第１の円錐側面が、前記明視位置から前記マイクロレンズによって得られる前記対物レンズ上の視野の円周状の外縁と、前記明視位置とを結ぶ第２の円錐側面よりも内側に位置し、
Δθ≦θ０／２                                            （式１）
を満足する、目視照準器。
ただし、Δθは、前記第２の円錐側面の母線と前記光軸のなす角度と、前記第１の円錐側面の母線と前記光軸のなす角度との差であり、θ０は、前記送信器からの検知波の広がり角度である。
【請求項３】
請求項１または２において、前記対物レンズには、前記第１のマーカの中心を示す第２のマーカが設けられている、目視照準器。
【請求項４】
請求項３において、前記第２のマーカは直線からなり、当該直線は、前記輪郭線からその中心に向って延び、かつ前記輪郭線の中心には達しない長さの３つ以上の線部からなる、目視照準器。
【請求項５】
請求項１から４のいずれか一項において、前記検知波は光であり、前記送信器および前記受信器は、それぞれ投光器および受光器であり、前記送信器および前記受信器のそれぞれの送信方向および受信方向の調整は、前記投光器と前記受光器の光軸合わせである、目視照準器。
【請求項６】
送信器および受信器を備えた防犯センサであって、さらに、
請求項１から５のいずれか一項に記載の目視照準器を備えた防犯センサ。